(57)【特許請求の範囲】
【請求項１】
蒸発可能な流体を用いて熱負荷の温度を制御する方法であって；
蒸発可能な流体を気体から高温高圧の気体状態へ圧縮する工程；
高圧の気体の少なくとも一部を加圧された液体の状態へ凝縮させる工程；
より低い温度及び圧力にて、加圧された流体の少なくとも一部を飽和蒸気へ膨張させる工程；
高温高圧の気体と膨張した飽和蒸気とを選択された割合にて混合して、選択された圧力での飽和した蒸気ミストを提供する工程；
前記混合流を熱負荷を通して流れさせ、その温度を制御する工程；
前記混合流の圧力を調節することによって、熱負荷の温度を調節する工程；並びに
熱負荷からの流れを再加圧に好適な気体へ戻す工程
を含んでなる方法。
【請求項２】
内部を流体が流れるプロセス装置の温度を制御する方法であって、
液化と蒸発の遷移温度がプロセス装置の所望の操作温度の範囲に好適である流体を選択する工程；
流体を高温、高圧気体へ圧縮する工程；
加圧した気体の第１の流れを冷却して、飽和された流体を提供する工程；
加圧した気体の第２の可変的流れを混合ゾーンへ送る工程；
混合ゾーンの前で第１の流れ状態を液体／蒸気状態へ制御的に膨張させる工程；
選択された割合の高温気体と液体／蒸気流とを選択的に混合して、制御された温度レベルにて飽和した流体混合物を提供する工程；
プロセス装置の中を通して飽和された流体混合物を移送して、直接的熱交換を行う工程；
飽和した流体混合物の圧力を調節して、プロセス装置の温度を変化させる工程；ならびに
流体を再加圧のために循環させて上記サイクルを繰り返す工程
を含んでなる方法。
【請求項３】
流体を用いてプロセス装置の温度を制御する方法であって、
液体／蒸気状態を有する冷媒を、温度および圧力に応じて約１２０℃および約４００ｐｓｉの範囲の高圧気相状態へ圧縮する工程；
気体状態の流れの一部を、ほぼ周囲温度にて高圧の液体状態へ凝縮させる工程；
凝縮させた冷媒流の一部を選択した温度で液体／蒸気混合物へ膨張させる工程；
選択された割合の高圧の気体流と膨張した流れとを混合して、混合物中で選択された公称温度および圧力を達成する工程；
冷媒の流れをプロセスツールとの熱交換関係に直接送る工程；
液体／蒸気混合物を維持しながら、高温の気体流の割合を調節することによって、プロセスツールの温度を調節する工程；ならびに
冷媒の温度および圧力を選択された範囲で調節して、リサイクルおよび再圧縮に好適な気体状態の冷媒へ戻す工程
を含んでなる方法。
【請求項４】
プロセスツールは可変式熱負荷を提供しており、およびその中を通る冷媒の流れが基本モードにおいて、プロセス装置で−５０℃〜＋１４０℃の範囲に制御することができる請求項３記載の方法。
【発明の詳細な説明】
【技術分野】
【０００１】
（先の出願の参照）
この発明は、ケネス・ダブリュー・コワンズ（Kenneth W. Cowans）、グレン・ズビラガ（Glenn Zubillaga）及びウィリアム・ダブリュー・コワンズ（William W. Cowans）を発明者として、「Transfer Direct Heat Exchanger System」という発明の名称で、２００４年６月２日付けで出願された仮特許出願（Provisional Patent Application）第６０／５７６７０５号に基づく優先権を主張する。
【背景技術】
【０００２】
加熱−冷却システムなどの温度制御装置(Thermal control units(ＴＣＵｓ))は、プロセスツールまたはその他のデバイスに、選択された可変温度を確立し且つそれを維持するために、広範に使用されている。現代の熱制御装置または温度制御装置の典型的な例は、資本集約度の高い半導体製造設備で見いだすことができる。高コストのフロアスペースを可能な限り保つために、温度制御装置には厳しい空間的要求が課せられている。高収益な業績を得るならば、必要とされる大規模な資本設備コストは、操作中のダウンタイム(downtime)を許容しないので、信頼性を確保する必要がある。異なる製造工程のために目標温度を変更することができるが、個々の工程が完了するまでは、目的温度に厳密に保持する必要がある。多くの工業用及び一般家庭用の冷蔵システムでは、選択されたレベルへ温度を降下させ、その後、それ程厳密ではない温度範囲内にその温度を維持することを目的とする。従って、これらの商業用のシステムにおいて、信頼性よく、長期間の操作が達成されたとしても、その性能は、非常に高度な技術の(highly technical)生産機械の要求に応えるには達していない。
【０００３】
最も近代的な温度制御装置（ＴＣＵ）では、ツールまたはプロセスの実際の温度制御は、閉じたサイクル内で温度制御装置から装置を通って元に戻るように循環する中間の熱移動流体を用いて、行われている。熱移動流体は、その沸点より低い所望の操作範囲でその流体の最小の操作圧力において安定であるものが選ばれる。また、熱移動流体は、その操作範囲内で好適な粘度特性及び流動特性を有することが必要とされる。温度制御装置自体は、今日において生態学的に許容されるタイプの冷媒(refrigerant)を用いて、選択された温度を維持するために必要とされる何らかの冷却（冷凍および／または冷蔵）を提供している。温度制御装置は、従来の液相／気相サイクルを通して、冷媒を循環させる。そのようなサイクルにおいて、最初に、冷媒は高い圧力レベルで高温ガスに圧縮され、その後、加圧液体に凝縮される。気体は、コンデンサ内で冷却液と密接に熱的接触しながら通過することによって、液体に変えられる。それは、周りを包囲する流体によって冷却された液体であってもよいし、または周囲の空気によって直接的に冷却された液体であってもよい。その後、液体冷媒を、バルブを通して選択された圧力レベルへ膨張させることによって、その温度が下がる。この膨張によって液体の一部が蒸発して、冷媒が冷却され、それによって液体は、より低い飽和圧力で平衡になる。この膨張性の冷却の後で、冷媒は前記熱移動流体との熱交換関係(heat exchange relation)を通して前記熱移動流体を冷却し、目的の装置を目標温度レベルに維持する。その後、冷媒は、気相にて加圧段階へ戻される。循環される熱移動流体の温度を必要に応じて上げることが必要ならば、通常は熱移動流体に熱源を提供する必要がある。多くの場合、この熱源は、循環する流体との熱交換に配置されて必要に応じて電力が提供される電気ヒータである。
【発明の概要】
【発明が解決しようとする課題】
【０００４】
そのような温度制御装置（ＴＣＵ）は、過去及び現在において種々の変更がなされて非常に広範に用いられ、技術的な改良によりコストの低減と大量適用のための信頼性の向上とが図られている。大量に製造される冷却装置では、例えば、数万時間の操作や、メンテナンスのコストが比較的低いことが期待されている。しかしながら、そのような冷却システムは、広い温度範囲にわたって操作することはほとんどできないし、より低いコストバージョンのものは、冷却される内容物用の直接的な熱交換媒体として空気流を用いることも少なくない。
【０００５】
対照的に、工業的用途のための近代の温度制御装置（ＴＣＵ）は、正確に、例えば選択された温度レベルの±１℃以内で動作し、且つ広い範囲内（例えば、特徴的な装置では−４０℃〜＋６０℃）で異なるレベルへシフトする必要がある。そのような用途のための典型的な熱移動流体（thermal transfer liquid）には、エチレングリコールと水（ほとんどの場合は脱イオン化された形態）との混合物、または商標「Galden」もしくは「Fluorinert」として販売されているペルフルオロ流体が含まれる。これらの流体及びその他のものは、信頼性が高く可変式の温度システムにおいて、広い用途が見出されている。しかしながら、これらの流体、特にペルフルオロ流体は、高い熱移動効率を有しておらず、温度制御装置（ＴＣＵｓ）に何らかの設計的要求を課する。例えば、熱交換器（heat exchangers(ＨＥＸｓ))及び制御ツール又はその他の装置を通して熱移動流体を循環させるためのポンプ装置のために、エネルギー及びスペースが必要とされる。これらのエネルギー損失ファクターとともに、熱を移動させるために必要とされる温度差のために熱交換にはエネルギー損失が伴い、また、温度制御装置（ＴＣＵ）と制御すべきデバイスとを連結する導管においてもエネルギー損失を伴う。冷却されるべきデバイスを直接的に取り囲むスペースはしばしば貴重であるため、エネルギー損失を導入しないだけでなく、プロセスツールの温度を安定させるために必要とされる時間を増大させないような、実質的な長さの導管が必要とされ得る。一般に、温度制御装置（ＴＣＵ）の体積が大きくなれば、温度制御装置（ＴＣＵ）を制御すべきデバイスからより遠くに離して配置することが必要となる。流路に沿った流体の質量(fluid masses)は、それらが導入する損失を補償するために時間もエネルギーも必要とする。制御すべき装置の温度の変化は、前記導管の中に含まれる熱移動流体のほかにも、温度制御装置（ＴＣＵ）と制御されるデバイスとを接続する導管にも影響を及ぼすだろう。これは、熱移動流体が導管壁と密接に熱的接触しているためである。従って、制御されるデバイスと最も違い導管端部から出る流体は、導管壁の温度と実質的に等しい温度で前記デバイスに到達し、そして、制御されるデバイスの温度が同様の変化を受ける前に、これら導管壁の温度が変更されるだろう。
【０００６】
改善されたシステム及び結果に対する継続的な要求により、損失を最小にする温度制御装置（ＴＣＵ）が必要とされている。可能であれば、システムは、コンパクトで、資本コストが低く、予期される長い寿命及び信頼性を維持又はさらに向上されるべきである。
【０００７】
これまで、簡単な冷却システムが独立した熱移動流体を伴わずに冷媒を使用している限りは、冷却サイクルの間に課された相転移（phase changes）が、サイクルの外側で物理的な距離をおいて冷媒を直接使用するのを妨げる、と考えられてきた。従来の冷媒は、本質的に、エネルギーの貯蔵及び転化を相転移に頼っているので、コンプレッサー及びその他の構成要素を安定して信頼性よく操作するためには、冷却サイクルの種々のポイントにおいて、冷媒は適切な状態又は液相と蒸気相との適切な混合物でなくてはならない。例えば冷媒などの可飽和流体（saturable fluid)を、可変の熱負荷（thermal load）による熱交換に直接用いることには、手に余るシステムの問題が存在する。
【課題を解決するための手段】
【０００８】
本出願は、非常に速い温度変化の応答が可能な高効率のシステムにおいて、液体と蒸気との冷媒混合物の高い熱移動効率を直接使用するシステムを、初めて教示するものである。制御されるデバイスの温度レベルを修正するための実質的な時間的遅れを排除するだけでなく、導管及び熱交換器（ＨＥＸｓ）での実質的なエネルギー損失を排除し、そして異なるレベルにおける目標温度の間でシフトさせる際の実質的な時間的遅れもの必要性を排除することができる。
【０００９】
この発明の方法及びシステムは、広い温度範囲にわたって速い応答性と高い熱効率とを備えた冷却源又は加熱源として、可変相冷媒（variable phase refrigerant）を直接使用する。冷媒は、その温度制御範囲の主要な（基本的な）部分の間は液体と蒸気との飽和混合物として維持され、可変の熱負荷（variable heat load）として機能する制御されるユニット(controlled unit)と、直接接触する。制御される装置の温度は、飽和した流体混合物の圧力を変化させることによって、非常に迅速に調整することができる。導管、熱交換器（ＨＥＸｓ）および流体質量におけるエネルギー損失は最小になり、そして、これらの構成要素の温度変化に起因する冷却されるデバイスの温度応答の遅れが、実質的になくなる。
【００１０】
本発明のシステム及び方法は、より具体的な態様において、循環する冷媒を高温高圧状態に圧縮するが、高温ガスの比例制御(proportional control)も、凝縮された液体／蒸気ミストの分離流(separate flow)も提供する。液体／蒸気ミストは、初めは凝縮冷媒(condensed refrigerant)の膨張流から成るが、制御されるデバイスのために選択された設定ポイントに従って、コントローラで決定された高温ガスの比例流(proportioned flow)と混合される。その目的のために、２つの流れは共に混合回路に入れられ、そこで飽和流体は目標の温度及び圧力にされ、また膨張流に圧力降下がもたらされて膨張バルブデバイスに固有の流れの非直線性（flow nonlinearities）が補償される。飽和流体自体は、制御されるプロセスまたは装置を通って直接運ばれる。制御されるプロセスまたは装置の温度を検知して、コントローラに送る。コントローラは、単に圧力の変化だけで、制御されるシステムの温度を迅速に変えることができる。冷却または加熱の作用をもたらす媒体の温度をこのように変更することによって、圧力変化のほぼ直後に、制御されるデバイスの温度をそのように変化させることができる。これにより、制御されるデバイスと比べて、熱移動流体の分離流の使用に起因する多くの熱エネルギー損失及び温度変化が排除される。
【００１１】
本明細書で開示される発明は、制御されるデバイスに適用される出力の変化の効果を相殺して、それにより制御されるデバイスを不変温度に保持するのに十分なように、制御されるデバイスに冷却または加熱を迅速に適用することができる。
【００１２】
究極の直接熱移動のために、完全な連続サイクルを通って冷媒を動かす際には、冷媒の相が最後まで安定することを確実にするために、多くの新規な手段が用いられる。例えば、圧縮工程では、コンプレッサーへのインプット温度に応答する過熱防止バルブ（desuperheater valve）を用いることによって、コンプレッサーにおけるインプットの温度と圧力とのバランスが維持されており、また必要な場合には、コンプレッサーのインプットにおけるインプット流れを適切な範囲に昇温することを確実にするように、電気ヒータ及び熱交換システムを備えたフィードスルーループ（feed-through loop）が組み込まれる。このバランスによって、コンプレッサーのインプットに戻ってくる冷媒が、液体を含まないだけでなく選択された圧力範囲にあることも確実になる。さらに、コンプレッサーへのインプット圧力は、制御されるプロセスからの戻り流(return flow)の経路にあるクローズ・オン・ライズ・バルブ（close-on-rise valve）によって制限される。
【００１３】
凝縮冷媒流の経路は、外的安定化の従来の温度式冷却膨張バルブ((refrigeration thermostatic expansion valve）ＴＸＶ)を有しており、一方、混合回路への高温ガスのバイパス流経路は、プロポーショナルバルブ（比例弁）を有している。プロポーショナルバルブはコントローラシステムからの制御信号に応答し、コントローラシステムは、流れの比率が、吐出する混合物(delivered mixture)の所望の温度及び圧力を達成するように命令する。
【００１４】
このシステムはまた、温度範囲の上限にある高温ガスのみを用いることによって、混合範囲より外側で加熱することもできる。高温加圧ガス(hot pressurized gas)のみを用いることによって達成可能な高温の制御温度が必要な場合には、プロポーショナルバルブを全開にし、そして、逆止弁のスプリングにかかる所定圧力のリリーフ負荷によってスプリング負荷(spring-loaded)の逆止弁が作動して、熱膨張バルブを閉止する。代わりに、冷媒を外部で加熱して、温度を更に上げることもできる。この後者のケースでは、加熱範囲を更に高温まで効率よく拡大するために、向流熱交換器（counter current HEX）を使用することもできる。
【００１５】
システムは、混合流体モード及び高温ガスモードの温度範囲だけでなく、加圧常温冷媒(pressurized ambient refrigerant)の熱膨張のみを用いる冷却モードの温度範囲にもわたってユニットを制御可能にするように配置されている。
【発明の効果】
【００１６】
本発明によれば、制御されるデバイスの温度レベルを修正するための実質的な時間的遅れを排除するだけでなく、導管及び熱交換器（ＨＥＸｓ）での実質的なエネルギー損失を排除し、そして異なるレベルにおける目標温度の間でシフトさせる際の実質的な時間的遅れもの必要性を排除することができる。
【図面の簡単な説明】
【００１７】
【図１】図１は、この発明の温度制御装置のブロック図である。
【図２】図２は、この発明のもう１つの温度制御装置のブロック図であって、システムに電気加熱を導入する別の方法を用いている。
【図３】図３は、この発明の方法を実施するための工程のフローチャートである。
【図４】図４は、この発明の方法及びシステムにおいて、エネルギー移動サイクル中におけるエンタルピーに対する圧力の変動について示すグラフ図であって、−２０℃で有効なサイクルを示している。
【図５】図５は、この発明の方法及びシステムにおいて、エネルギー移動サイクル中におけるエンタルピーに対する圧力の変動について示すグラフ図であって、１２０℃を越える温度で有効な加熱サイクルを示している。
【図６】図６は、この発明の方法及びシステムにおいて、エネルギーを移動サイクル中におけるエンタルピーに対する圧力の変動について示すグラフ図であって、＋４０℃で有効なサイクルを示している。
【図７】図７は、システムの特徴の詳細を示すブロック図であり、温度制御装置（ＴＣＵ）のアウトプットを１２０℃以上の温度まで加熱するのに用いられ、例えば図１のシステム中の補助的な電気ヒータ及び向流熱交換器を利用している。
【図８】図８は、この発明の方法及びシステムにおいてエネルギー移動サイクル中におけるエンタルピーに対する圧力の変動について示すグラフ図であって、装置のヒートポンプ機能を用いて＋４０℃で有効なサイクルを示している。
【発明を実施するための形態】
【００１８】
添付図面と共に以下の説明を参照することによって、この発明はよりよく理解されるだろう。
【００１９】
基本的に約−５０℃〜約＋１４０℃の範囲で操作するための温度制御装置（ＴＣＵ）１１０のブロック図を、例示の目的で図１に示している。冷媒及びある程度の負荷によっては、他の温度範囲を用いることもできるが、この例では、例えば冷媒Ｒ５０７を用いることを想定している。温度制御装置（ＴＣＵ）１１０はコンパクトなユニットとすることができ、低価格である上に、適度な寸法、向上した経済性および迅速な応答性により特徴付けられる。温度レベルは、関連するデバイス間を連結するラインの長さとは無関係に、異なる目標レベルで安定して保持されるようになっている。この例における温度制御装置（ＴＣＵ）１１０は、半導体製造のためのクラスターツールなどのツール１１２の温度制御の目的を対象としている。そのようなツールは、熱制御流体(thermal control fluid)のを通すための内部通路(internal passageway)を有している。温度制御装置（ＴＣＵ）は、異なる製造工程中、サイクルを操作するためにツールの異なる目標温度を確立することを目的としている。
【００２０】
システムは、コントローラ１１４を組み込んでおり、例えば、Antoniou及びChristoffersonの米国特許第6,783,080号に記載されているタイプの比例、積分、微分（proportional, integral, differential（ＰＩＤ)））コントローラであって、多数の異なるタイプのコマンドを受け取ることに適し、ユーザーフレンドリーなセットアップシステムを含むコントローラを組み込んでいる。温度制御装置（ＴＣＵ）１１０では、コンプレッサー１５８を使用する。コンプレッサー１５８は、出力ライン１０２において約１２０℃で約４００ｐｓｉまたはそれ以上の熱い気体冷媒の加圧されたアウトプットを提供し、高い信頼性と低価格の工業用冷却コンプレッサーであってもよい。ツール１１２の温度は、ツール１１２に設けられたトランスデューサ(transducer)１１８によって検知されて、測定信号はコントローラ１１４へ戻される。この温度信号は、コントローラ１１４において種々の目的に使用される。例えば、制御されるデバイス１１２に、所望の温度で液体と気体との混合物を提供できるように、高温ガスをコンプレッサー１５８のアウトプットから直接供給する制御可能なプロポーショナルバルブ１４４の開度と、熱いコンプレッサー１５８のアウトプットをコンデンサ１５６中で液化した後の飽和流体の流れと、の両者を制御する。
【００２１】
これらの目的のために、コンプレッサー１５８からの高温ガス流は２つの流路に分岐される。一方は、施設水源（facility water source）１５４による液冷の熱交換器（ＨＥＸ）１０４を含む従来のコンデンサ１５６を含んだコンプレッサー制御システム１２０に入る。空冷のコンデンサも同様に使用することができるが、ここでは例示のために液冷式が選ばれている。コンプレッサー１５８のアウトプット圧力に応答して制御される水バルブ１０６か、またはコントローラ１１４に応答して制御可能なバイパスバルブ１０５か、のいずれかを通して、水はコンデンサ１５６内の熱交換器（ＨＥＸ）１０４へ供給される。最大の冷却効果が必要な時はいつでも、バイパスバルブ１０５が作動される。バルブ１０５を開くことによって、可能な限り冷たい水をコンデンサ１５６に供給することを確実にする。これによって、可能な限り低い凝縮温度を保証して、システムに、最大の冷却アウトプットを提供する。アウトプット圧力は、クーラント流制御バルブ１０６の中に設けられてトランスデューサによって測定され、それは、コンプレッサーヘッド圧力調整器と称される商業的に入手可能な装置である。これは、冷却水の供給が冷た過ぎたり、何らかの重要な理由のためにあまりにも多過ぎたり等が起こる用途において用いられる冷却システムに、従来から適用されている。１つの典型的な用途は、経済性または効率性の理由から、そのようなクーラント流コントローラを使用して冷却水の供給を制限するものであろう。この発明において、コントローラ１０６は同様の目的のためにも使われるが、コントローラ１０６は、主として、ほとんどの操作モードにおいてコンプレッサー１５８のアウトプットを高い圧力レベルに維持するように機能する。この高い圧力は、強力な熱源として利用可能にするために、コンプレッサーに必要とされる。
【００２２】
クーラント流コントローラ１０６の使用による補助的な利点は、この発明で開示されたシステムが、冷却水を非常に効率的に利用するものである、ということである。この冷却水は、典型的には、冷却塔またはその他のアプローチによる冷却源から、半導体製造プラントに供給される。そのような冷却源を動作させるのに必要とされる出力（またはエネルギー）は、製造設備で使用される全出力（又は全エネルギー）のかなりの部分を占める。水源１５４からコンデンサ熱交換器(condenser HEX)１０４への冷却水の供給は、コンプレッサーアウトプット圧力を実質的に一定に維持するように、コンプレッサー１５８のアウトプット圧力に対して反比例に変化する(varied inversely)。コンプレッサー制御システム１２０はまた、向流補助冷却器(countercurrent subcooler)１３０との相互作用を含んでいる。そのような補助冷却器を使用する場合、前記相互作用には、過熱防止バルブ１３４のアウトプットをツール１１２から戻ってきた冷媒気体と結合する補助冷却器の流出経路中に、過熱防止バルブ１３４からのアウトプットを注入し、それによって流出リターンフロー(outgoing return flow)を補助冷却器１３０中で冷却することが含まれる。組み込まれた補助冷却器中へ流入した反対向きの流れ（いくつかの用途において、任意で用いられる）は、以下に記載するように、膨張及び制御回路へ向けられる。補助冷却器１３０を通してツールの温度を制御する流入流れは、過熱防止バルブ１３４を通り補助冷却器のリターンフローの流入側で完結する。この配置及びその目的は、ウィリアム・ダブリュー・コワンズによる米国特許第６，４４６，４４６号に従っている。
【００２３】
また、コンプレッサーのアウトプットとコンプレッサーのインプットとの間には、高温ガスバイパスバルブ(hot gas bypass valve(ＨＧＢＶ))１６４が配置されている。高温ガスバイパスバルブ（ＨＧＢＶ）は、インプット圧力がプリセットレベルを下回った場合に、コンプレッサーのアウトプットからインプットへ直接的な流れを許容する。高温ガスバイパスバルブ（ＨＧＢＶ）は、標準的な工業用の冷却制御コンポーネントである。コンプレッサー１５８へのインプットにおける圧力が、所定のレベルを下回ることは許容されず、そのレベルは、コンプレッサーの設計によって決められている。これは、冷却コンプレッサーが、冷媒に混合されて運ばれるオイルによって潤滑されているためである。低圧では、オイルのキャリオーバーは、コンプレッサー機械を潤滑するのに不十分である。冷却コンプレッサーはまた、経験的に損傷を生じない圧縮比に制限される。これは、気体が圧縮される際に、気体によって受ける断熱昇温（adiabatic heating）によって生じる。約１２０℃を越える排出ガス温度では、冷却コンプレッサーは故障する可能性がある。高温ガスバイパスバルブ（ＨＧＢＶ１６４）はこの問題を緩和する。
【００２４】
上述したメカニズムは、工業用の冷却装置におけるコンプレッサーの管理に対するいくつかの標準的なアプローチも含んでいるが、システムの操作について記述しているセクションに示されているように、本明細書で討論している発明に特有のアプローチも含んでいる。
【００２５】
液体ライン１３２内にある補助冷却器１３０からの流体は、高温ガスライン１５９中にある分離した高温ガス流と並行しており、両者は混合回路１４０へ案内される。ライン１５９中の高温ガス流はプロポーショナルバルブ１４４を横切り、そのプロポーショナルバルブ１４４は、混合回路１４０中に提供された高温ガス流中において選択された減圧(reduction in pressure)を確実にするコントローラ１１４の信号によって制御される。プロポーショナルバルブ１４４は質量流(mass flow)を変化させ、それによって最終的には圧力が変化させる。蒸気／液体ライン１３２から混合回路１４０へ提供される分離したインプット(separate input)は、熱膨張バルブ(thermal expansion valve(ＴＸＶ))１５７を介して制御される。これは、温度式膨張タイプの通常の冷却バルブとして動作する。熱膨張バルブ（ＴＸＶｓ）は、ダイヤフラムで作動するバルブであり、その片側では、ダイヤフラムは低圧の冷却回路内の好適なポイントにおける冷媒圧力に維持され、他方の側では、ダイヤフラムは実質的に同じ圧力ポイントでの温度における飽和圧力にある。回路内の後者のポイント(latter point)に配置された検知バルブ（sensing bulb）１２４は、冷媒気体によって満たされており、従って、検知バルブは、検知バルブ１２４が設けられているポイントに対応する飽和圧力下で存在して、この飽和圧力を供給する。図１に示す温度制御装置回路(TCU circuit)では、導管１４９は検知バルブ１２４に近い位置でアウトプットライン１６１と連結しており、従って、導管１４９は、その圧力を、検知バルブ１２４に近い低い圧力レベルの圧力と等しくする。これを、外部均等化（external equalization）と称する。
【００２６】
プロポーショナルバルブ１４４が完全に閉じられたならば、図１に示す温度制御装置回路(TCU circuit)は、通常の蒸気サイクル冷却システムとして機能することになる。この通常の操作において、熱膨張バルブ（ＴＸＶ）は、システムが達成し得る最大の冷却を生じるように冷却アウトプットを調整する。純粋な蒸気へと完全に沸騰させることのできる膨張させた液体−蒸気混合物を最大量で供給するように、ダイヤフラム制御の熱膨張バルブ（ＴＸＶ）１５７の動作により、ラインを通る高圧冷媒液体の流れを絞る。しかしながら、基本的な動作モードにおいて、プロポーショナルバルブ１４４を完全に閉めない場合には、プロポーショナルバルブ１４４からの高温ガスと組み合わせるために、熱膨張バルブ（ＴＸＶ）１５７は選択された比率のミスト化液体蒸気(misted liquid vapor)を供給する。上述したように、熱膨張バルブ（ＴＸＶ）１５７は、導管１４９を介してツール１１２からのリターンラインと連結された圧力によって、外部均等化が行われる。熱膨張バルブ（ＴＸＶ）１５７のアウトプットは、デルタＰバルブ（delta P valve）１５５を通って流れる。デルタＰバルブ１５５は、熱膨張バルブ（ＴＸＶ）１５７のアウトプットと混合ティ(mixing Tee)１６５との間に流体の圧力降下（デルタｐ）を確立するスプリング負荷逆止弁を有している。コンプレッサー１５８のすべてのアウトプットがプロポーショナルバルブ１４４を通る流れのみに回される場合、デルタＰバルブ１５５を横切る全圧は、高温ガスライン内で完全に開かれているプロポーショナルバルブ１４４を横切る圧力降下よりも大きい。これにより、流れの混合物を、１００％の高温ガスから１００％の膨張した液体まで、円滑に制御することが確立されて、熱膨張バルブ（ＴＸＶ）の非直線性と、どの程度の開度であるかにかかわらずプロポーショナルバルブ１４４を横切る圧力降下が常に存在するという事実とが克服される。高温ガス流が全開であるならば、逆止弁は熱膨張バルブ（ＴＸＶ）を閉鎖する。従って、熱膨張バルブ（ＴＸＶ）１５７及びデルタＰバルブ１５５からのアウトプットは飽和流体であり、その温度は、デルタＰバルブ１５５のアウトプットでの圧力によって本質的に決定される。圧力は、プロポーショナルバルブ１４４のセッティングを変更することによって迅速に変化させることができ、それは質量流と、そして圧力を変化させる。従って、ツール温度に応答する温度センサ１１８によってツール１１２の温度が測定されて、コントローラ１１４に信号が伝達されるので、温度をほとんど即座に調整してツール１１２の温度を修正することができる。
【００２７】
システムは、ツール１１２からのリターンラインに、コンプレッサー１５８にインプットする圧力に積み上がった(buildup)過剰な圧力に対する安全装置として機能する「クローズ・オン・ライズ（ＣＯＲ(Close on Rise)）」バルブ１５０を有している。これは商業的に入手可能な冷却コンポーネントであって、この目的のために従来から使われている。主要な発明において、それは同じ目的でも用いられるが、以下に説明するように、温度制御装置（ＴＣＵ）がヒートポンプとして機能するのを可能にもする。
【００２８】
プロポーショナルバルブ１４４につながっている高温ガスライン１５９中に、電磁弁(solenoid valve)１２１が図示されている。電磁弁１２１は、迅速な応答時間を有しており、いくつかのシステムにおいては、高温ガスの流れを即座に遮断して、プロポーショナルバルブ１４４の閉止過程で生じ得る遅延を伴わずに冷却を達成することが望ましいので、電磁弁１２１が含まれている。温度制御装置（ＴＣＵ）システムに対しては、同様に即座に加熱することが必要な負荷を制御するためにいくつかの要求もある。これらに適応するために、電磁弁１２２を用いてプロポーショナルバルブ１４４の操作を切り替える(shunt)こともできる。加熱を適用することが突然に必要とされるこれらのシステムの操作を支援するために、熱膨張バルブ（ＴＸＶ）１５７を通る流れを実質的に瞬時に閉じる目的で、熱膨張バルブ１５７へのライン内にもう１つの電磁弁１０９を含むこともできる。瞬時の冷却を必要とするシステムのために、もう１つの電磁弁１１１を含んで、熱膨張バルブ（ＴＸＶ）１５７の操作を切り替える(shunt)こともできる。
【００２９】
図１にはレシーバ１０８が示されている。これは冷媒用の比較的小さいリザーバであって、加熱プロセスを迅速に進行させながら、冷却ポテンシャルを蓄えることが要求されるいくつかのシステムにおいて、必要とされる。レシーバは、コンデンサ１５６の液体アウトプットを受け入れ、そして、熱膨張バルブ（ＴＸＶ）により使用される量を越えて凝縮液体が生成された場合には、その凝縮液体を蓄えるデバイスである。
【００３０】
混合回路１４０内の、プロポーショナルバルブ１４４及び熱膨張バルブ（ＴＸＶ）１５７のアウトプットの下流側で、冷媒の２つの流れ(stream)は混合ティ１６５で結合される。そのような混合が行われた後、アウトプット流れは供給ライン１１３を通って、ツール１１２を冷却又は加熱する。ツール１１２を出た後、蒸気と液体との混合物は、リターンライン１６０を通って温度制御装置（ＴＣＵ）へ戻る。
【００３１】
温度制御装置（ＴＣＵ）内で起こる戻り冷媒(return refrigerant)の第１の処理または調整（conditioning）は、電気加熱である。これはヒータ１１７によって行われる。図１では、ヒータ１１７は、加熱されるアキュムレータ１１６内で液体中に浸漬されたように図示されているが、これは本発明の１つの実施態様である。別の実施態様を図２に示しており、ヒータは熱交換器（ＨＥＸ）２１６の中に埋め込まれており、熱交換器（ＨＥＸ）２１６を通る冷媒と良好な熱交換関係で配置されている。加熱されるアキュムレータ１１６と熱交換器（ＨＥＸ）２１６との違いは、アキュムレータはかなりの量の液体貯蔵のための容量を有しているのに対し、熱交換器（ＨＥＸ）は熱伝達機能を実施するために必要な量の冷媒のための容量のみを有していることである。
【００３２】
冷媒は、アキュムレータ１１６（図１）または熱交換器（ＨＥＸ）２１６（図２）のいずれかを通過したら、検知バルブ１２４及び均等化ライン１４９が取り付けられたリターンライン１６１を通過する。リターンライン１６１はそこから補助冷却器１３０の戻り経路(return pass)に連結する。補助冷却器１３０から出てきたら、冷媒は吸込みライン１６２に入り、その吸込みライン１６２を通って、冷媒はコンプレッサー１５８の吸い込みインプット１６３へ戻る。
【００３３】
（システムの操作）
直感に反する（counter-intuitive）冷却サイクルが開示されてきたが、図３のフローチャートにおいて逐次示しているように、この冷却サイクルは、温度を制御されるシステムとの熱交換関係において、飽和流体（ミスト化された液体と蒸気）の遷移相（transitional phase）を維持することに焦点が当てられている。適切な内部操作とともに飽和相を用いることにより、温度制御のために冷媒流体及びサイクルを直接使用することが可能になり、さらに、従来克服されていなかった相転移及び安定性の障壁が克服される。選択された圧力における液体の小滴と蒸気ミストとの平衡状態を確立することによって、温度は予め決定される。更に、純粋な液相または純粋な気相の両者に存在する厳密な熱伝導作用とは反対に、蒸発及び液化の動力学が、熱を表面に移動させる能力を向上するので、熱エネルギー交換能力は、純粋な液相または純粋な気相よりも実質的に高い。
【００３４】
純粋な気相にある流体による温度変化と、純粋な液相の温度変化は、いずれも、熱エネルギー伝導のみに依存する。これらの純粋な単相状態の間にある中間の領域には、混合された液体／蒸気が存在している。蒸気から液体小滴に移動させること及び液体小滴から蒸気に移動させることは、圧力または温度に厳密に依存すると見なすことができ、圧力が低い程、蒸発温度も低くなる。しかしながら、全量が蒸発又は凝縮するまでは、実質的に一定の温度において、平衡状態温度から、蒸気のすべてが液化するまで冷却源に熱を供給するか、又は蒸発により熱を奪う。これは、液体／蒸気混合物は、一定の温度シンクまたは熱源(a constant temperature sink or source)として使用できることを意味しており、反対に、圧力を変えることによって、液体／蒸気混合物と熱交換関係にある装置の温度を変えることができるということも意味している。圧力の変化は、流体を通して音速（毎秒数百メートル）で伝達されるという事実により、この変化は極めて迅速になり得ることは重要である。
【００３５】
図１を参照すると、極めて重要な混合ゾーンは、混合システム１４０内の要素から構成され、プロポーショナルバルブ１４４からの高温ガスアウトプットと、熱膨張バルブ（ＴＸＶ）１５７からの液体及び蒸気のアウトプットとを含み、それら両方ともコンプレッサー１５８のアウトプットライン１０２から分岐している。例えば、４００ｐｓｉのアウトプット圧力を用いると、冷却されたコンデンサ１５６から熱膨張バルブ（ＴＸＶ）１５７までの液化アウトプットは、実質的に同様の圧力になるだろう。熱膨張バルブ（ＴＸＶ）１５７で膨張させた後、コントローラ１１４によって命令されるように、熱膨張バルブ（ＴＸＶ）１５７はミスト化された液体流を提供する。これは、周囲の液体蒸気の雰囲気中における小滴の分散として、古典的に見なすことができる。このミスト化された液体の熱交換特性は、W.H. in the book "Heat Transmission", Third Edition, McGraw-Hill Book Company,New York,１９５４年，ｐ．３３５＆４０２という書籍にて、McAdamsによって発表された方程式に基づいている。ミスト化された液体を、混合ヘッド１６５において流入するコントローラで決定された高温ガス流と結合させると、熱膨張バルブ（ＴＸＶ）１５７からの液体と蒸気との全混合物内の温度を、プロポーショナルバルブ１４４からの高温ガスと平衡させる必要性によって、制御された量の小滴寸法(the size of droplets)の減少をもたらす。従って、バルブ１４４からの高温ガスを、熱膨張バルブ１５７からの液体／蒸気と混合するこのプロセスは、冷媒の制御された温度及びアウトプット圧力を、制御されるツール１１２へのインプットに供給することができる。混合回路１４０は、さらにデルタｐバルブ１５５を含んでおり、それは、前記プロポーショナルバルブ１４４が大きく開いているときに、プロポーショナルバルブ１４４に固有の圧力降下よりも実質的に小さい圧力降下を導入する。さらに、混合ヘッド１６５及びデルタｐバルブ１５５は、バルブ１４４が大きく開いているときに、液体／蒸気ライン１３２への混合物の逆流を防止する。
【００３６】
図４は、４０１から、４０２、４０３、４０４を通り４０５を経て、４０１へ戻る古典的な熱力学的サイクルの操作として、（補助冷却器を有する）典型的な冷却回路を示している。このようにして、回路内におけるエンタルピーに対する圧力をプロットすることによって、図１のコンプレッサー１５８が、圧力を上昇させ且つエンタルピーを高め、４０１から４０２へのラインに、両方の値大きさの増加を示す傾斜を与えることが理解できるだろう。定圧ライン４０２−４０３によって示されるように、圧力を維持しながら圧縮ガスを凝縮させると、エンタルピーが低下する。このシフトは、ＰＨチャート上に示された液体ドーム（liquid dome）を通って冷媒を動かし、圧力を維持しながら冷媒の液化を生じさせる。冷媒の沸点（蒸発点）は、４００ｐｓｉで約４５℃である。古典的な冷却サイクルにおいて、点４０４−点４０５に示されるように、冷媒を膨張させると、エンタルピーを変化させることなく、圧力は選択されたレベルへ低下する。膨張した冷媒は、液体／蒸気混合物として放出されるが、ライン４０５−４０１で液体ドーム遷移部を通って移動し、熱交換領域を通るように方向付けられる。気体は、点４０１の後で再び圧縮されて、サイクルが繰り返される。
【００３７】
本発明は、基本的な冷却サイクルを改良して、より柔軟性のある近代的な温度制御装置（ＴＣＵ）の目的を達成するものである。図４に示す冷媒（タイプＲ５０７）のモリエ線図（Mollier diagram）（液体ドームの近くでのエンタルピー対温度の表示）は、−２０℃で液体及び蒸気の流れを提供する冷媒の操作を示しており、この温度は一例として選ばれている。この発明は、ユニットの急速な制御下で、流体の加熱能力又は冷却能力の変化を提供する。冷却サイクルは、コンプレッサーのインプット１６３（図１）で取られた点４０１から示される。気体は、約１２０℃の温度で３０ＫＰａ（約４００ｐｓｉｇ）の点４０２へ圧縮される。コンデンサ１５６へ入る気体は、約６０℃の温度の点４０３まで冷却されて液化される。この液体は補助冷却器１３０を通される。このコンポーネントにおいて、液体は、ツール１１２からライン１６１に戻る冷媒と熱交換することによって、冷却される。このように補助冷却器１３０内で冷却された液体の冷媒は、熱膨張バルブ（ＴＸＶ）１５７を通して点４０４まで膨張させられる。この実施例では、この点において、冷媒は約−２０℃の温度で、約５０％の気体および約５０％の液体から構成されている。この冷媒は、プロポーショナルバルブ１４４を通って膨張させられて図４において点４０２から点４０６への点線経路によって示された高温ガス（この実施例では約８５℃の温度だろう）と混合される。８５℃の高温ガスからの熱を点４０５の液体／蒸気と混合して加えると、点４０７の全混合物が生じる。この制御された混合物は、約７０％の気体及び約３０％の液体からなる。高温ガスの添加は、点４０５の５０％液体との差分を沸騰させ、加えられた高温ガスは−２０℃へ冷却される。与えられた例では、ツール１１２を冷却中に混合物の液体が沸騰し、さらに、周辺の環境から点４０８まで熱を得るときに更に熱くなる。この気体は、それから補助冷却器１３０に入り、４０３から４０４まで冷却される向流の液体冷媒から熱を吸収することによって常温近くまで暖められ、そして、圧力が降下し、点４０１までエンタルピーが増加し、そしてサイクルが繰り返される。
【００３８】
その結果、図４の検討から推論されるように、維持される圧力に依存して、液体／蒸気混合物がツール１１２の温度を安定化させる操作範囲が存在する。ツールが流体に熱を捨てて、センサ１１８で決定されたツール１１２の温度が所定の温度Ｔ（一例として、図４で−２０℃として示す）を維持すれば、バルブ１４４の開きを調整して質量流量を変化させることによって、供給ライン１１３内における蒸気／液体の流れの圧力が調整される。これによって、調整された飽和温度で蒸気と液体とが釣り合うように、ライン１１３内で温度がしかるべく変更されて、ツールの温度が一定に保たれる。極端な加熱の場合には、プロポーショナルバルブ１４４を全開（フルオープン）にすることによって、熱膨張バルブ（ＴＸＶ）１５７からの流れを全て止めることができる。この場合に、ツール１１２を通る全ての流れは、点４０６のガス流から導かれる（図４を参照）。この気体は約８０℃の温度にあり、従ってツール１１２を急速に加熱することができる。
【００３９】
ツール１１２アウトプットにおける圧力バルブ（pressure bulb）１２４からの外部均等化フィードバック経路によって、システムは更に安定化される。熱膨張バルブに関してよく知られているように、圧力ライン１４９から熱膨張バルブ（ＴＸＶ）１５７に戻る圧力の伝達は、ライン内又はツール１１２内での圧力損失によるオフセット（差し引き）がないことを確実にする助けになる。
【００４０】
この発明を用いることによって、液体ドームによって制限される境界の外側にある高温での熱を提供することができる。図５はこのモードでの本発明の操作を示しており、その場合に、熱エネルギーの調整の際に、液化ゾーンの内側及び外側の両方でシステムが操作される。操作は、混合回路１４０のアウトプットにヒータを付加することを当てにしている。図７は、図１に示した基本システムの変形例を示しており、この機能を含むように使用されている。混合回路１４０の下流側のツール１１２への供給ライン１１３には、電気ヒータ７０２が、供給ライン１１３と良好な熱的接触して配置されている。供給ライン１１３には向流熱交換器７０１も配置されており、リターンライン１６０を更にさえぎってツール１１２から出る流れを受け入れる。向流熱交換器を使用して、熱交換器（ＨＥＸ）７０１のツールに近い側におけるライン１１３の温度を、熱交換器７０１の反対側に入るライン１６０と隔離することによって、よりいっそう高い温度を達成することができる。この特徴によって、２６０℃以上の温度の冷媒ガスを、ツール１１２へ供給することができる。
【００４１】
図５は、例えば図７のような補助システムが取り付けられた温度制御装置（ＴＣＵ）の熱力学的性能を示している。冷媒ガスは、点５０７でコンプレッサーに入る。そして、冷媒ガスは、そのガスが熱交換器（ＨＥＸ）７０１に入る点５０１で約３０ＫＰａまで圧縮される。向流熱交換器７０１において、流出ガスが点５０８から点５０５へ冷却される際に、インプットガスは流出ガスから熱を吸収して点５０２まで加熱される。そして、インプットガスが電気ヒータ７０２からライン１１３を通ってツール１１２へ通過する際のガス温度の損失は無視し得る程度であると仮定して、電気ヒータ７０２で、点５０２から、インプットガスがツール１１２へ入る温度である点５０３までインプットガスを加熱する。冷媒ガスは、ツール１１２を加熱する過程で、点５０４から点５０８に冷却される。点５０８で冷媒ガスは熱交換器（ＨＥＸ）７０１に入り、熱交換器（ＨＥＸ）７０１の反対側のインプットガスを加熱しながら、点５０５まで冷却される。その後、気体はＣＯＲバルブ１５０を通過し、コンプレッサー１５８へのインプットに適した点５０６まで圧力が降下する。冷媒ガスは、コンプレッサーを良好に操作するには熱過ぎる場合を除いて、そのサイクルを再スタートして、再び圧縮される用意ができている。しかし、図１のシステムでは、高温ガスは、コンプレッサー１５８のインプットにあるセンサ１２６に応答して開く過熱防止バルブ１３４のアウトプットと混合される。この作用によって、補助冷却器１３０の戻り側に、凝縮冷媒の一部が加えられる。コンデンサ１５６からの凝縮液体の一部（図５の点５１１にある）を、戻ってきた高温ガスと混合することによって（点５１０へ圧力が下げられる）、点５０７で圧縮するのに好適な温度のインプットガスが提供される。従って、このシステムは、圧縮及び凝縮の後に、圧力及びエンタルピーのパラメータで区切られた熱力学的液体ドームの外側にある高温ガスモードで、動作することができる。
【００４２】
ＣＯＲバルブ１５０の操作は、特定の環境下においてより低い温度で開始することができる。１０℃を著しく越える温度で温度制御装置（ＴＣＵ）を操作し始めると、従来のコンプレッサーで良好な圧縮を行うには、冷媒中で液体と気体とが平衡になる圧力は高すぎるだろう。図１及び５を参照すると、（ツールを冷媒で−２０℃に冷却した図４に示された場合と同様の方法で）図６に示すように、温度制御装置（ＴＣＵ）が、負荷を４０℃に冷却することを要求される場合に、ＣＯＲバルブ１５０はコンプレッサー１５８を保護する。図６は、点６０１から点６０２へ圧縮される気体を示している。その後、この気体の一部は、同じ圧力のまま点６０３へ凝縮され、熱膨張バルブ（ＴＸＶ）１５７を通して点６０４まで膨張される。圧縮させた気体の残部は、プロポーショナルバルブ１４４を通過させて点６０５へ送られる。２つのストリームを混合回路１４０で混合して、中間の圧力及びエンタルピーの点６０７に出す。この混合物中の液体は、ツール１１２へ供給されるが、ツール１１２を冷却する際に蒸発して、点６０８に至る。この点にある気体は、ＣＯＲバルブ１５０内で自動的に処理されて、点６０１でコンプレッサー１５８に入るのに適したより低い圧力まで膨張する。その後、サイクルが繰り返される。
【００４３】
温度制御装置（ＴＣＵ）は、所望の点において熱を供給する際に、ヒートポンプとして機能することができる。このことは、図１とともに考慮されるべきである図８において示されている。ここで示される操作は、約４０℃の温度にて最大加熱に近い加熱を提供するものである。点８０１から点８０２へ圧縮された後、コンプレッサー１５８からの高温ガスの大部分はプロポーショナルバルブ１４４を通過して、点８０５へ圧力が下げられる。コントローラ１１４は、凝縮されているが高い圧力の点８０３における液体であって、熱膨張バルブ１５７を通して点８０９へ膨張させられている液体の所定量と、点８０５の気体とを混合して、点８１０の混合物を提供する。この混合物は、ツール１１２を通過してツール１１２に熱を供給し、液体を点８０４へ凝縮する。点８０４における混合物が、ＣＯＲバルブ１５０を通過すべきで且つコンプレッサー１５８で圧縮するためのインプットである場合は、点８０４において非常に多量の液体が混合物の中に存在するため、コンプレッサーエネルギーは液体を蒸発させる際に失われてコンプレッサー１５８のアウトプット圧力は低くなりすぎるだろう。図１に示す圧力スイッチ１６８は、この現象を検知し、スイッチ１６８によって検知された圧力がしきい値よりも低い場合にはヒータ１１７を作動させる。この作動は、点８１１の液体／蒸気混合物を加熱し、その混合物を液体領域の外側の点８０８へ加熱する。そこで混合物はＣＯＲバルブ１５０へ入って、点８０１へ膨張するが、点８０１ではすべてが気体で存在しており、再圧縮することができる。
【００４４】
しかしながら、その他に多くのファクター、特にエネルギー効率および安全で信頼性のある操作の向上に関するファクターが存在する。コンプレッサー１５８へのインプットにおいて、ツール１１２からのリターンラインは補助冷却器１３０を通過し、そして、コンデンサ１５６からの凝縮流体と熱エネルギーを交換し、液体ライン１３２中の流体を更に冷却することによって熱エネルギーの損失を最小化するように作用する。コンプレッサー１５８のインプットの質量流量が十分であること、およびダメージを与える可能性のある最小値を越えることを保証するため、コンプレッサー１５８のアウトプットからのループはＨＧＢＶバルブ１６４を通して供給される。ＨＧＢＶバルブ１６４はコンプレッサーへのインプットが所定の圧力を下回らないことを確実にする。コンプレッサーのインプットに検知バルブ１２６を備えた過熱防止バルブ１３４は、コンプレッサー１５８へのインプットが適切な操作のために十分に冷えていることを保証する。レシーバを使用する場合、過熱防止バルブ１３４のアウトプットは最初にレシーバ１０８中の液体を通過し、その後に補助冷却器１３０中のリターンラインへ戻され、コンプレッサー１５８へ送られる。
【００４５】
コンデンサ１５６では、独立した制御が行われる。コンプレッサー１５８のアウトプットを圧力センサ１１８によって検知し、信号がコントローラ１１４へ返されると、その結果として、施設水源１５４に変動が生じて、液体ライン１３２中の冷媒の流れを実質的に一定に維持するように、コンデンサ１５６が熱交換器（ＨＥＸ）１０４によって十分に冷却されることを確実にする。
【００４６】
従って、このシステムは高い効率の熱交換システムを提供し、そのシステム内で、冷媒は可変負荷条件下で直接使用されるが、ツール１１２に接触する際には制御されたミスト状液体／気相に維持される。基本モードにおけるこのような制御は、特定の目標温度とツール１１２の加熱又は冷却の必要性によって決定される選択圧力とにおいて冷媒の膨張液体と高温ガスとの比率（割合）を調整するコントローラ１１４によって、維持されている。ツール自体の中で更に熱交換が起こり得るが、システムおよび方法は、サイクル全体にわたって冷媒を安定化又は調節する。液体ライン１３２中に流れが生じない高温ガスモードでは、プロポーショナルバルブ１４４を開いて、目標温度（Ｒ５０７の場合には、約１５０℃以上の温度）を維持するために必要とされるツールでの流量および温度を生じさせる。最も低い温度範囲で冷媒を使用するためには、液体ライン１３２のみを使用する必要があり、熱膨張バルブ（ＴＸＶ）１５７は、ツール１１２への冷却アウトプットを約−４０℃まで降下させるように制御される。
【００４７】
上述したように、その他の冷媒を使用することもできるし、図に示したよりも高い値又は低い値の異なる混合モードサイクルにて操作するようにシステムの構成を変更することもできる。
【００４８】
いくつかの流れおよび変形例を開示しているが、この発明は、これらの開示した例に限定されるものではなく、特許請求の範囲の記載に記載する態様例および方法のすべてを含むと理解されたい。
【００４９】
１１０  温度制御装置（ＴＣＵ）
１１２  ツール（熱負荷）
１１４  コントローラ
１１８  温度センサ
１３２  蒸気／液体ライン
１４０  混合回路
１４４  プロポーショナルバルブ
１５６  コンデンサ
１５８  コンプレッサー
１５７  熱膨張バルブ（ＴＸＶ）
１５５  デルタＰバルブ
【図１】
0005581300.tif 000002
【図２】
0005581300.tif 000003
【図３】
0005581300.tif 000004
【図４】
0005581300.tif 000005
【図５】
0005581300.tif 000006
【図６】
0005581300.tif 000007
【図７】
0005581300.tif 000008
【図８】
0005581300.tif 000009